(57)【要約】【課題】弱電界環境などで、端末の受信レベル悪化による送信停止後、効率よく送信を再開させ、呼切断の発生を低減する。【解決手段】基地局１は、移動通信端末２が送信を停止した場合に使われる下りＴＰＣビットパターンを移動通信端末２に通知する。移動通信端末２が送信を停止した場合、基地局１は、基地局１側での受信レベルが急に劣化したことによって、移動通信端末２が送信を停止したことを検知する。そして、基地局１は、通知したＴＰＣビットパターンの送信を開始する。移動通信端末２は、送信されてきたＴＰＣビットパターンを検知し、事前に基地局１から通知されたＴＰＣパターンに一定の精度以上で復号できるかどうか確認する。一定の精度以上で復号できたことを確認した場合、移動通信端末２は送信を再開する。【選択図】図１
2009159247.tif 000002
【特許請求の範囲】
【請求項１】
無線通信端末と、該無線通信端末が接続される基地局を含む移動通信システムにおいて、
前記基地局が、事前に定められたＴＰＣビットパターンを前記無線通信端末に通知しておき、
前記基地局は、前記無線通信端末が送信を停止したことを検知すると、前記ＴＰＣビットパターンを前記無線通信端末に送信し、
前記無線通信端末が、前記基地局から受信したＴＰＣビットパターンを検知し、一定レベル以上の精度で復号できているかどうか判定し、
前記無線通信端末は、前記基地局から受信したＴＰＣビットパターンを一定レベル以上の精度で復号できていると判定した場合、送信を再開する、
移動体端末における送信再開方法。
【請求項２】
前記基地局は、前記無線通信端末が送信を開始した後、該基地局の受信レベルが一定値を超えるまでは、前記ＴＰＣビットパターンに従うと同時にＴＰＣビットの信頼性の判定を継続し、該基地局の受信レベルが一定値を超えた時点で、インナーループ電力制御を開始する、請求項１に記載の、移動体端末における送信再開方法。
【請求項３】
事前に定められたＴＰＣビットパターンを無線通信端末に通知する手段と、
前記無線通信端末が送信を停止したことを検知する手段と、
前記無線通信端末が送信を停止したことを検知すると、前記ＴＰＣビットパターンを前記無線通信端末に送信する手段と、
を有する基地局。
【請求項４】
前記無線通信端末が送信を開始した後、該基地局の受信レベルが一定値を超えるまでは、前記ＴＰＣビットパターンに従うと同時にＴＰＣビットの信頼性の判定を継続する手段と、該基地局の受信レベルが一定値を超えた時点で、インナーループ電力制御を開始する手段と、を有する、請求項３に記載の基地局。
【請求項５】
移動通信端末が送信を停止した場合に使われる下りＴＰＣビットパターンを基地局から受信する手段と、
該移動通信端末が送信を停止した後、前記基地局が送信したＴＰＣビットパターンを検知し、一定レベル以上の精度で復号できているかどうか判定する手段と、
前記基地局から受信したＴＰＣビットパターンを一定レベル以上の精度で復号できていると判定した場合、送信を再開する手段と
を有する移動体通信端末。
【請求項６】
無線通信端末と、該無線通信端末が接続される基地局を含む移動通信システムにおいて、
前記無線通信端末が、事前に定められたＴＰＣビットパターンを前記基地局に通知しておき、
前記無線通信端末は、前記基地局が送信を停止したことを検知すると、前記ＴＰＣビットパターンを前記基地局に送信し、
前記基地局が、前記無線通信端末から受信したＴＰＣビットパターンを検知し、一定レベル以上の精度で復号できているかどうか判定し、
前記基地局は、前記無線通信端末から受信したＴＰＣビットパターンを一定レベル以上の精度で復号できていると判定した場合、送信を再開する、
基地局における送信再開方法。
【請求項７】
前記無線通信端末は、前記基地局が送信を開始した後、該無線通信端末の受信レベルが一定値を超えるまでは、前記ＴＰＣビットパターンに従うと同時にＴＰＣビットの信頼性の判定を継続し、該無線通信端末の受信レベルが一定値を超えた時点で、インナーループ電力制御を開始する、請求項１に記載の、基地局における送信再開方法。
【請求項８】
事前に定められたＴＰＣビットパターンを基地局に通知する手段と、
前記基地局が送信を停止したことを検知する手段と、
前記基地局が送信を停止したことを検知すると、前記ＴＰＣビットパターンを前記基地局に送信する手段と、
を有する無線通信端末。
【請求項９】
前記基地局が送信を開始した後、該無線通信端末の受信レベルが一定値を超えるまでは、前記ＴＰＣビットパターンに従うと同時にＴＰＣビットの信頼性の判定を継続する手段と、該無線通信端末の受信レベルが一定値を超えた時点で、インナーループ電力制御を開始する手段と、を有する、請求項３に記載の無線通信端末。
【請求項１０】
基地局が送信を停止した場合に使われる下りＴＰＣビットパターンを移動通信端末から受信する手段と、
該基地局が送信を停止した後、前記移動通信端末が送信したＴＰＣビットパターンを検知し、一定レベル以上の精度で復号できているかどうか判定する手段と、
前記移動通信端末から受信したＴＰＣビットパターンを一定レベル以上の精度で復号できていると判定した場合、送信を再開する手段と
を有する基地局。
【発明の詳細な説明】
【技術分野】
【０００１】
本発明は移動通信システムに関し、特に移動通信端末における送信再開方法に関する。ここで、移動通信端末は、携帯電話機、ＰＤＡ（Ｐｅｒｓｏｎａｌ Ｄｉｇｉｔａｌ Ａｓｓｉｓｔａｎｔｓ：個人向け携帯型情報通信機器）等を含む。
【背景技術】
【０００２】
近年、第３世代の移動体通信手段として、Ｗ−ＣＤＭＡ（Ｗｉｄｅｂａｎｄ  ＣＤＭＡ）などの方式が開発され、サービスが開始されはじめている。
【０００３】
Ｗ−ＣＤＭＡの電力制御方式は、端末が直接電波受けている基地局に対して短時間周期(６６６μＳ)で電力の増減を要求する「インナーループ」と、ある程度の長時間平均における品質目標値（エラー率）を元に適切な電力制御基準値（ターゲットＳＩＲ：Ｓｉｇｎａｌ ｔｏ Ｉｎｔｅｒｆａｃｅ Ｒａｔｉｏ）を決定する「アウターループ」から構成される。
【０００４】
図７にアウターループ電力制御の概要を示す。Ｒａｋｅ受信機は受信データのＣＲＣ（Ｃｙｃｌｉｃ Ｒｅｄｕｎｄａｎｃｙ Ｃｈｅｃｋ）を計算し、ＢＬＥＲ（Ｂｌｏｃｋ Ｅｒｒｏｒ Ｒａｔｅ）を計算する。携帯端末装置はネットワーク（基地局）から目標とする品質（エラー率1％など）を得て、目標品質よりエラーが多い時にはターゲットＳＩＲをある一定幅で上げ、エラーが目標品質より少ない時にはターゲットＳＩＲをある一定幅で下げる処理をしている。
【０００５】
図８にインナーループ電力制御の概要を示す。アウターループ電力制御によって設定されたターゲットＳＩＲと実際に測定したＳＩＲ（受信ＳＩＲ）とに差が生じた時、携帯端末装置は受信ＳＩＲがターゲットＳＩＲより低い時には基地局に送信電力を上げる要求を出し、受信ＳＩＲがターゲットＳＩＲより高い時には基地局に送信電力を下げる要求を出している。
【０００６】
なお、インナーループ電力制御において、送信電力を上げる／下げる要求は、ＴＰＣ（Ｔｒａｎｓｍｉｔ Ｐｏｗｅｒ Ｃｏｎｔｒｏｌ）ビットによって伝達される。
【０００７】
Ｗ−ＣＤＭＡのシステムでは、ネットワークの収容能力を向上させるため、所要受信品質に対して最小の電力で通信することが必要になる。上記した送信電力制御は、所要受信品質に対して最小の電力で通信するための方法である。
【０００８】
上記のアウターループ電力制御およびインナーループ電力制御は、基地局側でも同様に実施され、基地局による端末の送信電力の制御が行われる。
【０００９】
ここで、弱電界などによって端末の受信レベルが悪化した場合、受信するＴＰＣビットの信頼性が低下し、インナーループ電力制御が機能しなくなるおそれがある。ＴＰＣビットを誤って解釈した場合、正しい送信電力制御ができず、端末が過大な電力による送信を行い、他端末への干渉を増大させてしまう。結果として、ネットワークの収容能力を圧迫する可能性がある。
【００１０】
このような状況を回避するため、非特許文献１には、端末は受信レベルが一定のレベル（Ｑｏｕｔ）を１６０ｍｓ間下回った場合、４０ｍｓ以内に送信を停止することが規定されている。
【００１１】
端末が上記規定に従って送信を停止した場合、ある一定時間内に基地局側の受信レベルが復帰しないと、基地局側も下りの送信を停止し、最終的には呼切断に至る。
【００１２】
端末が送信を再開するには、非特許文献１に規定されるように、端末の受信レベルがＴＰＣビットを精度良く復号できる受信レベル（Ｑｉｎ）まで回復する必要がある。しかしながら、端末が送信を停止した状態では、基地局のインナーループ電力制御が行えないため、端末がＴＰＣ復号に十分な受信レベルを得ることが困難である。
【非特許文献１】３ＧＰＰ  ＴＳ  ２５．１０１  ６．４．４章
【発明の開示】
【発明が解決しようとする課題】
【００１３】
3ＧＰＰ ＴＳ ２５．１０１ ６.４．４章で規定されるＱｏｕｔ／Ｑｉｎによる送信停止/再開の方法では、呼切断が多くなるという欠点があった。
【００１４】
本発明の目的は、弱電界環境などで、端末の受信レベル悪化による送信停止後、効率よく送信を再開させ、呼切断の発生を低減する方法を提供することにある。
【課題を解決するための手段】
【００１５】
端末が、３ＧＰＰ  ＴＳ  ２５．１０１  ６．４．４章に規定される送信停止を行った場合、基地局側の受信レベルが急激に劣化する。基地局は受信レベルが急劣化し、基地局が期待している電力と大幅な差が発生することを契機に、事前に定められたパターンのＴＰＣビットを送信する。このＴＰＣビットのパターンは、報知情報などによって通話開始の前に、端末に通知しておく。端末は、送信停止時、既知のパターンで基地局から送信されるＴＰＣビットを正しく復号できているかを判定する。ＴＰＣビットを一定レベルの精度で復号できている場合、たとえ端末の受信レベルが３ＧＰＰ  ＴＳ  ２５．１０１  ６．４．４章に規定されるＱｉｎを下回っていても、端末は基地局の送信するＴＰＣパターンに従って送信を再開する。端末が送信した後の一定時間は、既知のＴＰＣパターンによるＴＰＣビット信頼性判定を行うとともに、そのＴＰＣビットに従って送信電力制御を行う。
【発明の効果】
【００１６】
以上説明したように、本発明は、以下に記載するような効果を奏する。
第１の効果は、端末が受信レベルによらず送信を再開できるようにしているので、不要な呼切断を回避できることである。
第２の効果は、端末がＴＰＣの復号精度を確認しているので、通常のインナーループ電力制御再開後も精度の高いインナーループ電力制御を行える点である。受信レベル（Ｑｉｎ）のみで端末の送信を再開した場合、フェージング等の影響によってＴＰＣの復号精度が高くなく、精度の悪いインナーループ電力制御が行われる恐れがある。その場合、ネットワークの収容能力に悪影響を及ぼしてしまう。本発明による上記効果によって、ネットワークの収容能力に悪影響をおよぼすことが回避できる。
【発明を実施するための最良の形態】
【００１７】
次に、本発明の実施の形態について図面を参照して説明する。
【００１８】
図１は移動通信システムの概略構成を示している。この移動通信システムは基地局１と複数の移動通信端末２で構成されている。
【００１９】
図２は基地局１と移動通信端末２の概略構成を示している。基地局１は、送信停止、再開などの制御を行う送信停止・再開制御部１１と、ＴＰＣの復号、生成などを行うＴＰＣ復号・生成部１２と、ＴＰＣ復号・生成部１２で生成されたデータを電波にのせて送信し、また移動通信端末２から送信されたデータを受信し、ＴＰＣ復号・生成部１２に渡す無線部１３を有している。移動通信端末２も、送信停止、再開などの制御を行う送信停止・再開制御部２１と、ＴＰＣの復号、生成などを行うＴＰＣ復号・生成部２２と、ＴＰＣ復号・生成部１２で生成されたデータを電波にのせて送信し、また移動通信端末２から送信されたデータを受信し、ＴＰＣ復号・生成部１２に渡す無線部２３を有している。なお、基地局１、移動通信端末２とも本発明に直接、関係しない部分は図示されていない。
【００２０】
図３は本実施形態における、移動通信端末における送信再開方法を示すフローチャート、図４、図５はそれぞれ移動通信端末が送信を停止した後、送信を再開した後の基地局受信レベルの変化を示すグラフである。
【００２１】
基地局１は、ＴＰＣ復号・生成部１２で生成した、移動通信端末２が送信を停止した場合に使われる下りＴＰＣビットパターンを無線部１３から報知情報によって通知し（ステップ１０１）、移動通信端末２はこれを無線部２３で受信、内部に記憶する（ステップ２０１）。移動通信端末２の送信停止・再開制御部２１が電界の劣化などにより時刻ｔ１に送信を停止した場合（ステップ２０２）、基地局１は、基地局１側での受信レベルが急に劣化したことによって、移動通信端末２が送信を停止したことをＴＰＣ復号・生成部１２で検知する(ステップ１０２)。そして、基地局１は無線部１３によって、既知の、ステップ１０１で通知したＴＰＣビットパターンの送信を時刻ｔ２に開始する（ステップ１０３）。移動通信端末２は送信停止・再開制御部２１で、送信されてきたＴＰＣビットパターンを検知し、ステップ２０１で事前に基地局１から通知されたＴＰＣパターンに一定の精度以上で復号できるかどうか確認する（ステップ２０３、２０４）。一定の精度以上で復号できたことを確認した場合、移動通信端末２は時刻ｔ３に送信を再開する（ステップ２０５）。移動通信端末３が既知のＴＰＣパターンを検知したが、一定の精度以上で復号できないことを確認した場合、送信を停止したままである。基地局１が移動通信端末２に通知したＴＰＣビットパターンが例えば０１１０１１０１１・・・とする。移動通信端末２が送信を停止した後、移動通信端末２が受信したＴＰＣビットパターンが０１１０１１０１１・・・であれば、既知のパターンと一致するので、送信を再開し、００１００１００１・・・であれば、既知のパターンと一致しないので、送信を停止したままである。再開基地局１は、移動通信端末２が送信を再開したことを受けて、送信停止・再開制御部１１で、既知のＴＰＣビットパターンに従うと同時にＴＰＣビットの信頼性判定を継続する（ステップ１０４）。基地局１は送信停止・再開制御部２１で基地局１の受信レベルが一定値を超えたかどうか判定する（ステップ１０５）。時刻ｔ４に一定レベルを超えると、基地局１は通常のインナーループ電力制御を開始する（ステップ１０６）。基地局１の受信レベルはこの後、時刻ｔ５に収束する。
【００２２】
図６は、本発明の他の実施形態として、基地局側が送信を停止した場合に送信を再開する処理の場合のフローチャートである。図３のフローチャートにおいて、基地局を移動通信端末に、移動通信端末を基地局に置き換えただけであり、処理の内容は図３と同様である。また、基地局と移動通信端末の構成は図２に関して説明したものを入れ替えたものとなる。
【００２３】
本発明の他の実施形態として下記のことが可能である。
【００２４】
1.既知のＴＰＣビットパターンを、都市部、郊外に応じた設定することができる。都市部では、一基地局あたりの通信量が多く、それぞれの携帯電話の送信電波が、互いに干渉になる。そのため、できるだけ端末の送信電力を低くしたい。そこで、都市部では、既知のＴＰＣビットパターンを、００１００１・・・（0:下り、1:上り）等に設定することによって、端末の送信電力を低めにし、互いの干渉を小さくすることができる。比較的干渉の少ない郊外では、既知のＴＰＣビットパターンを１１１０１１１０・・・等に設定することにより、端末は大きな送信電力で送信する。その場合、呼が切断しにくくなる。
【００２５】
２．端末（基地局）が送信を停止した時に基地局（端末）が送信するＴＰＣビットパターンは、報知情報で通知せず、システムで共通にしてもよい。
【図面の簡単な説明】
【００２６】
【図１】移動通信システムの基本構成図である。
【図２】基地局と移動通信端末の構成を示すブロック図である。
【図３】移動通信端末における送信再開方法を示すフローチャートである。
【図４】移動通信端末が送信を停止した後の基地局受信レベルの変化を示すグラフである。
【図５】移動通信端末が送信を再開した後の基地局受信レベルの変化を示すグラフである。
【図６】基地局における送信再開方法を示すフローチャートである。
【図７】アウターループ電力制御の概要を示す図である。
【図８】インナーループ電力制御の概要を示す図である。
【符号の説明】
【００２７】
１          基地局
２          移動通信端末
１１、２１  送信停止・再開制御部
１２、２２  ＴＰＣ復号・生成部
１３、２３  無線部
１０１〜１０６、２０１〜２０５  ステップ
【図１】
2009159247.tif 000003
【図２】
2009159247.tif 000004
【図３】
2009159247.tif 000005
【図４】
2009159247.tif 000006
【図５】
2009159247.tif 000007
【図６】
2009159247.tif 000008
【図７】
2009159247.tif 000009
【図８】
2009159247.tif 000010